(57)【要約】      （修正有）【課題】２つのスライドレールアセンブリが同期して動かされるのを可能にする同期システムを提供する。【解決手段】同期装置３６を含む同期システムが、スライドレール３２及び開放機構７４に適用可能である。開放機構は、弾性部材８４と、弾性部材を係止するように構成される係止部材７６とを含む。同期装置は、ハウジングと、駆動部材４４とを含む。ハウジングは、スライドレールに取り付けられる。駆動部材は、ハウジングに対して移動可能である。駆動部材は、弾性部材がスライドレールに適用される弾性力を解放するのを可能にするために、弾性部材を係止解除するよう係止部材を移動させるように構成される。【選択図】図１１
2018153606.tif 000002
【特許請求の範囲】
【請求項１】
家具システムに適用可能な同期システムであって、
当該同期システムは、
前記家具システムの第１のスライドレールアセンブリに取り外し可能に接続される第１の同期装置と、
前記家具システムの第２のスライドレールアセンブリに取り外し可能に接続される第２の同期装置とを含み、
前記第１のスライドレールアセンブリ及び前記第２のスライドレールアセンブリの各々は、第１のレールと、該第１のレールに対して移動可能な第２のレールとを含み、
当該同期システムは、
前記第１のスライドレールアセンブリの前記第２のレール及び前記第２のスライドレールアセンブリの前記第２のレールが同期して動くのを可能にするために、前記第１の同期装置と前記第２の同期装置との間に取り外し可能に取り付けられる同期ロッドを含む、
同期システム。
【請求項２】
前記第１のスライドレールアセンブリは、開放機構を含み、該開放機構は、弾性部材と、該弾性部材を係止するように構成される係止部材とを含み、前記第１の同期装置は、ハウジングと、該ハウジングに取り付けられる駆動部材とを含み、該駆動部材は、前記第１のスライドレールアセンブリの前記第２のレール及び前記第２のスライドレールアセンブリの前記第２のレールを第１の方向と反対の第２の方向に沿って移動させるよう、前記弾性部材が弾性力を解放するのを可能にするために、前記第２のレールが前記第１の方向に沿って所定の位置から前記第１のレールに対して移動するのに応答して、前記弾性部材を係止解除するために前記係止部材を移動させるように構成される、請求項１に記載の同期システム。
【請求項３】
前記駆動部材は、弾性構成を含み、前記駆動部材は、前記弾性構成の弾性力に応答して前記ハウジングに対して初期状態に保持される、請求項２に記載の同期システム。
【請求項４】
前記第１の同期装置は、作動部材を更に含み、前記第２のレールが前記第１の方向に沿って前記所定の位置から前記第１のレールに対して移動するプロセスの間に、前記作動部材は、前記第１のレールの部分に当接して、前記駆動部材に適用される作用力を生成することで、前記駆動部材はもはや前記初期状態になく、前記作用力に応答して前記係止部材を駆動するように構成される、請求項３に記載の同期システム。
【請求項５】
前記ハウジングは、第１の側板と、該第１の側板に接続される第２の側板とを含み、前記駆動部材及び前記作動部材は、それぞれ前記第１の側板及び前記第２の側板に移動可能に取り付けられる、請求項４に記載の同期システム。
【請求項６】
前記駆動部材及び前記作動部材は、それぞれ前記第１の側板及び前記第２の側板に対して旋回させられ、前記駆動部材は、第１の限定構成によって定められる限定的な範囲内で前記第１の側板に対して移動可能であり、前記作動部材は、第２の限定構成によって定められる限定的な範囲内で前記第２の側板に対して移動可能である、請求項５に記載の同期システム。
【請求項７】
前記第１の同期装置は、前記作動部材に接続される支持ベースを更に含み、前記同期ロッドは、前記支持ベースに取り外し可能に接続される、請求項６に記載の同期システム。
【請求項８】
家具システムに適用可能な同期システムであって、
ハウジングと、
該ハウジングに対して移動可能な駆動部材とを含み、
前記家具システムは、第１のレールと、第２のレールと、開放機構とを有する、第１のスライドレールアセンブリを含み、前記第２のレールは、前記第１のレールに対して移動可能であり、前記開放機構は、弾性部材と、該弾性部材を一時的に係止するように構成される係止部材とを含み、
前記ハウジングは、前記第２のレールに取り外し可能に接続され、
前記駆動部材は、前記第２のレールを第２の方向に沿って前記第１のレールに対して移動させるよう、前記弾性部材が弾性力を解放するのを可能にするために、前記第２のレールが第１の方向に沿って所定の位置から前記第１のレールに対して移動するのに応答して、前記弾性部材を係止解除するために前記係止部材を移動させるように構成される、
同期装置。
【請求項９】
前記ハウジングは、前記第２のレールの少なくとも１つの取付け構成に対応する少なくとも１つの取付け構成を有する、請求項８に記載の同期装置。
【請求項１０】
前記駆動部材は、弾性構成を更に含み、前記駆動部材は、前記弾性構成の弾性力に応答して前記ハウジングに対して初期状態に保持される、請求項９に記載の同期装置。
【請求項１１】
前記駆動部材に隣接する作動部材を更に含み、該作動部材は、前記駆動部材がもはや前記初期状態にないよう、前記駆動部材を駆動するように構成される、請求項１０に記載の同期装置。
【請求項１２】
前記ハウジングは、第１の側板と、該第１の側板に対して曲げられた第２の側板とを含み、前記駆動部材及び前記作動部材は、それぞれ前記第１の側板及び前記第２の側板に対して移動可能に取り付けられる、請求項１１に記載の同期装置。
【請求項１３】
前記駆動部材及び前記作動部材は、それぞれ前記第１の側板及び前記第２の側板に対して旋回させられ、前記駆動部材は、第１の限定構成によって定められる限定的な範囲内で前記第１の側板に対して移動可能であり、前記作動部材は、第２の限定構成によって定めら得る限定的な範囲内で前記第２の側板に対して移動可能である、請求項１２に記載の同期装置。
【請求項１４】
前記家具システムは、第２のスライドレールアセンブリを更に含み、該第２のスライドレールアセンブリは、第１のレールと、前記第２のスライドレールアセンブリの前記第１のレールに対して移動可能な第２のレールとを有し、前記第１のスライドレールアセンブリの前記第２のレール及び前記第２のスライドレールアセンブリの前記第２のレールは、同期して動かされるよう、同期ロッドを通じて接続される、請求項８に記載の同期装置。
【請求項１５】
前記作動部材に接続される支持ベースと、該支持ベースに取り外し可能に接続される同期ロッドとを更に含み、前記家具システムは、第２のスライドレールアセンブリを更に含み、該第２のスライドレールアセンブリは、第１のレールと、前記第２のスライドレールアセンブリの前記第１のレールに対して移動可能な第２のレールとを有し、前記第１のスライドレールアセンブリの前記第２のレール及び前記第２のスライドレールアセンブリの前記第２のレールは、同期して動かされるよう、前記同期ロッドを通じて接続される、請求項１１に記載の同期装置。
【請求項１６】
スライドレールに取り付けられるように構成されるハウジングであって、前記スライドレールは、開放機構を含み、該開放機構は、弾性部材と、該弾性部材を係止するように構成される係止部材とを含む、ハウジングと、
該ハウジングに対して移動可能な駆動部材であって、前記弾性部材が前記スライドレールに適用される弾性力を解放するのを可能にするために、前記弾性部材を係止解除するために前記係止部材を移動させるように構成される、駆動部材とを含む、
同期装置。
【請求項１７】
前記ハウジングに取り付けられる同期ロッドを更に含み、前記ハウジングは、前記スライドレールに取り外し可能に接続され、当該同期装置は、弾性構成を更に含み、前記駆動部材は、前記弾性構成の弾性力に応答して前記ハウジングに対して初期状態に保持される、請求項１６に記載の同期装置。
【請求項１８】
作動部材を更に含み、該作動部材は、前記係止部材を更に駆動するために、前記駆動部材がもはや前記初期状態にないよう、前記駆動部材を駆動するように構成される、請求項１７に記載の同期装置。
【請求項１９】
前記ハウジングは、第１の側板と、第２の側板とを含み、前記駆動部材及び前記作動部材は、それぞれ前記第１の側板及び前記第２の側板に移動可能に取り付けられ、前記駆動部材は、第１の限定構成によって定められる限定的な範囲内で前記第１の側板に対して移動可能であり、前記作動部材は、第２の限定構成によって定められる限定的な範囲内で前記第２の側板に対して移動可能である、請求項１８に記載の同期装置。
【請求項２０】
前記作動部材に接続される支持ベースを更に含み、前記同期ロッドは、前記支持ベースを通じて前記ハウジングに取り付けられる、請求項１８に記載の同期装置。
【発明の詳細な説明】
【技術分野】
【０００１】
本発明は、同期システムに関し、より具体的には、２つのスライドレールアセンブリが同期して動くのを可能にする同期システムに関する。
【背景技術】
【０００２】
キャビネットシステムのような家具システムにおいて、引出しは、通常、一対のスライドレールアセンブリを通じてキャビネットに対して開かれ或いは引っ込められる。キャビネットに対する引込み位置から引出しを開くのを助けることができる製品は、現在市場で既に提供されており、その製品はいわゆる押し開き製品(push-open  product)である。米国特許出願公開第２０１２／００３８２５５Ａ１号は、家具部用の排出装置を開示している。具体的には、可動家具部（５）の両側に配置された２つの排出装置（１，２）とバネ荷重エゼクタ（１３）とを含む構成が開示されている。排出装置（１，２）は、心臓湾曲形状のスリット付きガイド経路（１０）を通じて位置（Ｅ）で一時的に係止されるように構成されるラッチ要素（１８）を含み、排出装置（１，２）は、可動家具部（５）を押すことによって係止解除され得る。２つの排出装置（１，２）のガイドキャリッジ（１７）が、同期ロッド（６）を通じて互いに接続される。この事例は参考のために提供されている。
【先行技術文献】
【特許文献】
【０００３】
【特許文献１】米国特許第８，５３４，７８１号明細書
【特許文献２】米国特許第８，９５０，８３３号明細書
【特許文献３】米国特許出願公開第２０１０／０２１９７２７Ａ１号明細書
【発明の概要】
【０００４】
本発明は、２つのスライドレールアセンブリが同期して動かされるのを可能にする同期システムに関する。
【０００５】
本発明の実施態様によれば、同期システムが家具システムに適用可能である。同期システムは、家具システムの第１のスライドレールアセンブリに取り外し可能に接続される第１の同期装置と、家具システムの第２のスライドレールアセンブリに取り外し可能に接続される第２の同期装置とを含み、第１のスライドレールアセンブリ及び第２のスライドレールアセンブリの各々は、第１のレールと、第１のレールに対して移動可能な第２のレールとを含み、同期システムは、第１のスライドレールアセンブリの第２のレール及び第２のスライドレールアセンブリの第２のレールが同期して動くのを可能にするために、第１の同期装置と第２の同期装置との間に取り外し可能に取り付けられる同期ロッドを含む。
【０００６】
好ましくは、第１のスライドレールアセンブリは、開放機構を含む。開放機構は、弾性部材と、弾性部材を係止するように構成される係止部材とを含む。第１の同期装置は、ハウジングと、ハウジングに取り付けられる駆動部材とを含む。駆動部材は、第１のスライドレールアセンブリの第２のレール及び第２のスライドレールアセンブリの第２のレールを第１の方向と反対の第２の方向に沿って移動させるよう、弾性部材が弾性力を解放するのを可能にするために、第２のレールが第１の方向に沿って所定の位置から第１のレールに対して移動するのに応答して、弾性部材を係止解除するために係止部材を移動させるように構成される。
【０００７】
好ましくは、駆動部材は、弾性構成を含む。駆動部材は、弾性構成の弾性力に応答してハウジングに対して初期状態に保持される。
【０００８】
好ましくは、第１の同期装置は、作動部材を更に含む。第２のレールが第１の方向に沿って所定の位置から第１のレールに対して移動するプロセスの間に、作動部材は、第１のレールの部分に当接して、駆動部材に適用される作用力を生成することで、駆動部材はもはや初期状態になく、作用力に応答して係止部材材を駆動するように構成される。
【０００９】
好ましくは、ハウジングは、第１の側板と、第１の側板に接続される第２の側板とを含む。駆動部材及び作動部材は、それぞれ第１の側板及び第２の側板に移動可能に取り付けられる。
【００１０】
好ましくは、駆動部材及び作動部材は、それぞれ第１の側板及び第２の側板に対して旋回させられる。駆動部材は、第１の限定構成によって定められる限定的な範囲内で第１の側板に対して移動可能であり、作動部材は、第２の限定構成によって定められる限定的な範囲内で第２の側板に対して移動可能である。
【００１１】
好ましくは、第１の同期装置は、前記作動部材に接続される支持ベースを更に含む。同期ロッドは、支持ベースに取り外し可能に接続される。
【００１２】
本発明の他の実施態様によれば、同期システムが家具システムに適用可能である。同期装置は、ハウジングと、ハウジングに対して移動可能な駆動部材とを含む。家具システムは、第１のレールと、第２のレールと、開放機構とを有する、第１のスライドレールアセンブリを含む。第２のレールは、第１のレールに対して移動可能である。開放機構は、弾性部材と、弾性部材を一時的に係止するように構成される係止部材とを含む。ハウジングは、第２のレールに取り外し可能に接続される。駆動部材は、第２のレールを第２の方向に沿って第１のレールに対して移動させるよう、弾性部材が弾性力を解放するのを可能にするために、第２のレールが第１の方向に沿って所定の位置から第１のレールに対して移動するのに応答して、弾性部材を係止解除するために係止部材を移動させるように構成される。
【００１３】
本発明の他の実施態様によれば、同期装置が、スライドレールに取り付けられるように構成されるハウジングであって、スライドレールは、開放機構を含み、開放機構は、弾性部材と、弾性部材を係止するように構成される係止部材とを含む、ハウジングと、ハウジングに対して移動可能な駆動部材であって、弾性部材がスライドレールに適用される弾性力を解放するのを可能にするために、弾性部材を係止解除するために係止部材を移動させるように構成される、駆動部材とを含む。
【００１４】
本発明のこれらの目的及び他の目的は、様々な図及び図面に例示されている好適な実施形態の以下の詳細な記述を判読した後に、当業者に疑いなく明らかになるであろう。
【図面の簡単な説明】
【００１５】
【図１】本発明の実施態様に従った２つの第１の家具部と第２の家具部とを含む家具システムを示す図である。
【００１６】
【図２】本発明の実施態様に従った第１の家具部の一方のない図１の家具システムを示す図であり、同期システムが２つのスライドレールアセンブリの間に取り付けられている。
【００１７】
【図３】本発明の実施態様に従った同期装置の分解図である。
【００１８】
【図４】本発明の実施態様に従った同期装置を示す図である。
【００１９】
【図５】本発明の実施態様に従って作動させられる前の同期装置を示す図である。
【００２０】
【図６】本発明の実施態様に従って作動させられた後の同期装置を示す図である。
【００２１】
【図７】本発明の実施態様に従ったスライドレールアセンブリの分解図である。
【００２２】
【図８】本発明の実施態様に従ったスライドレールアセンブリを示す図である。
【００２３】
【図９】図７の領域Ａの拡大図である。
【００２４】
【図１０】図８の領域Ａの拡大図である。
【００２５】
【図１１】本発明の実施態様に従った第１のレールに対する所定の位置に配置されたスライドレールアセンブリの第２のレールを示す図である。
【００２６】
【図１２】図１１の領域Ａの拡大図である。
【００２７】
【図１３】本発明の実施態様に従った第１の方向に沿って第１のレールに対して移動するように押されたスライドレールアセンブリの第２のレールを示す図である。
【００２８】
【図１４】図１３の領域Ａの拡大図である。
【００２９】
【図１５】本発明の実施態様に従った弾性部材の弾性力を解放することを通じて第２の方向に沿って第１のレールに対して移動させられたスライドレールアセンブリの第２のレールを示す図である。
【００３０】
【図１６】図１５の領域Ａの拡大図である。
【００３１】
【図１７】本発明の実施態様に従った第２の方向に沿って第１のレールに対して更に移動させられたスライドレールアセンブリの第２のレールを示す図である。
【００３２】
【図１８】図１７の領域Ａの拡大図である。
【００３３】
【図１９】本発明の実施態様に従った所定の位置に配置された第１の家具部を示す図である。
【００３４】
【図２０】本発明の実施態様に従った第２の方向に沿って移動させられた第１の家具部を示す図である。
【発明を実施するための形態】
【００３５】
図１に示すように、家具システム２０は、第１のスライドレールアセンブリ２２と、第２のスライドレールアセンブリ２４とを含む。第１のスライドレールアセンブリ２２及び第２のスライドレールアセンブリ２４は、第１の家具部２６が、第２の家具部２８に対して容易に動かされるのを可能にする。第１の家具部２６は、引出しであってよく、第２の家具部２８は、キャビネットであってよいが、本発明はそれに限定されない。
【００３６】
図２に示すように、第１のスライドレールアセンブリ２２の構造的構成は、第２のスライドレールアセンブリ２４の構造的構成と実質的に同一である。具体的には、第１のスライドレールアセンブリ２２及び第２のスライドレールアセンブリ２４の各々は、第１のレール３０と、第１のレール３０に対して可動な第２のレール３２とを含む。好ましくは、第１のスライドレールアセンブリ２２及び第２のスライドレールアセンブリ２４の各々は、第１のレール３０に対する第２のレール３２の走行距離を伸ばすために、第１のレール３０と第２のレール３２との間に可動に取り付けられる第３のレール３４を更に含む。第１のレール３０は、第２の家具部２８に固定的に取り付けられ、第２のレール３２は、第１の家具部２６を支持するように構成される（図１を参照のこと）。第１の同期装置３６と第２の同期装置２００とを含む本発明の同期システム３５は、家具システム２０に適用可能である。例えば、移動中の２つの第２のレール３２の安定性を向上させるために、第１のレールアセンブリ２２の第２のレール３２及び第２のレールアセンブリ２４の第２のレール３２を同期して動かすことができるように、第１の同期装置３６は、第１のスライドレールアセンブリ２２の上に配置され、第２の同期装置２００は、第２のスライドレールアセンブリ２４の上に配置される。本発明の同期システム３５は、第１の同期装置３６と第２の同期装置２００との間に取り外し可能に取り付けられる同期ロッド３８を更に含む。同期ロッド３８は、第１の接続ベース４０ａ及び第２の接続ベース４０ｂをそれぞれ通じて第１の同期装置３６及び第２の同期装置２００に取り外し可能に接続される。本実施態様では、第１の同期装置３６及び第２の同期装置２００は対称的に配置されるので、第２の同期装置２００のコンポーネント（構成部品）及び構成（配置）は、第１の同期装置３６のコンポーネント（構成部品）及び構成（配置）と類似する。簡素化のために、第１の同期装置３６のコンポーネント及び構成のみを例示している。しかしながら、他の実施態様では、第２の同期装置２００のコンポーネント及び構成は、第１の同期装置３６のコンポーネント及び構成と異なり得る。
【００３７】
図３及び図４に示すように、第１の同期装置３６は、ハウジング４２と、駆動部材４４とを含む。好ましくは、第１の同期装置３６は、作動部材４６を更に含む。
【００３８】
ハウジング４２は、第１の側板４８と、第１の側板４８に接続された第２の側板５０とを含む。好ましくは、第２の側板５０は、第１の側板４８に対して垂直に曲げられる。或いは、第２の側板は、第１の側板４８に実質的に垂直に接続される。
【００３９】
駆動部材４は、ハウジング４２に対して可動である。本実施態様において、駆動部材４４は、ハウジング４２に可動に取り付けられる。好ましくは、駆動部材４４は、シャフト部材５２によってハウジング４２の第１の側板４８に旋回させられ、駆動部材４４は、第１の制限構成５４によって定められる限定的な範囲内で第１の側板４８に対して移動可能である。本実施態様において、ハウジング４２の第１側板４８は、Ｌ形状の突起５４ａを有し、駆動部材は、２つの壁５４ｂと、２つの壁５４ｂの間に配置された凹部５４ｃとを有する。突起５４ａ、２つの壁５４ｂ及び凹部５４ｃは、第１の制限構成５４を形成する。その場合、凹部５４ｃは、突起５４ａを収容するように構成される。好ましくは、凹部５４ｃは、実質的に湾曲形状に配置され、凹部５４ｃは、凸部５４ａよりも大きい。代替的な実施形態において、ハウジング４２の第１の側板４８は、２つの壁５４ｂと、２つの壁５４ｂの間に配置された凹部５４ｃとを有することができ、駆動部材４４は、突起５４ａを有することができる。しかしながら、駆動部材４４ハウジング４２の第１の側板４８に対して限定的な範囲内で移動可能であるのを可能にする構成は、上記の実施態様に限定されない。更に、駆動部材４４は、弾性構成５６と、駆動構成５８と、弾性構成５６と駆動構成５８との間に配置された本体部６０とを含む。その場合、本体部６０は、シャフト部材５２によってハウジング４２の第１の側板４８に対して旋回させられる。本体部６０は、接触壁６２を有する。好ましくは、駆動部材４４が弾性構成５６の弾性力に応答して初期状態に保持されるように、例えば、ハウジング４２に対する初期位置に保持されるように、弾性構成５６及び駆動構成５８は、本体部６０に接続され、弾性脚のような弾性構成５６は、ハウジング４２の第２の側板５０に向かって面し且つ接触する。好ましくは、駆動部材４４は、プラスチック材料のようなフレキシブルな材料で作られ、弾性構成５６、駆動構成５８及び本体部６０は、一体成形品に一体形成される。
【００４０】
作動部材４６は、ハウジング４２に対して移動可能である。本実施態様において、作動部材４６は、駆動部材４４に隣接して、ハウジング４２に移動可能に取り付けられる。好ましくは、第１の同期装置３６は、作動部材４６に接続された支持ベース６３を含み、作動部材４６及び支持ベース６３は、ハウジング４２の第２の側板５０に移動可能に取り付けられ、第２の側板５０の２つの両側にそれぞれ配置される。具体的には、作動部材４６及び支持ベース６３は、旋回部材６４によってハウジング４２の第２の側板５０に旋回させられ、作動部材４６及び支持ベース６３は、第２の限定構成６６によって定められる限定的な範囲内で第２の側板５０に対して移動可能である。本実施態様において、ハウジング４２の第２の側板５０は、少なくとも１つの細長い孔６６ａを有し、作動部材４６及び支持ベース６３の一方には、少なくとも１つの細長い孔６６ａの部分を貫通するように構成された少なくとも１つのピン部材６６ｂが配置される。少なくとも１つの細長い孔６６ａ及び少なくとも１つのピン６６ｂは、第２の制限構成６６を形成する。好ましくは、少なくとも１つの細長い孔６６ａは、実質的に湾曲形状に配置される。代替的な実施態様において、ハウジング４２の第２の側板５０は、ピン部材６６ｂを有することができ、作動部材４６及び支持ベース６３の各々は、細長い孔６６ａを有することができる。しかしながら、作動部材４６及び支持ベース６３が限定的な範囲内でハウジング４２の第２の側板５０に対して移動可能であることを可能にする構成は、上記の実施態様によって限定されない。好ましくは、作動部材４６は、作動部６８を有する。作動部６８は、駆動部材４４の接触壁６２に対応する位置に配置される。好ましくは、同期ロッド３８は、多角形輪郭のような、非円形の輪郭を有する。同期ロッド３８は、第１の接続ベース４０ａを通じて支持ベース６３に取り外し可能に接続される。詳細には、第１の連結ベース４０ａは、本体部４１と、本体部４１に接続されたヘッド部４３とを有する。接続のために同期ロッド３８を収容室４５に挿入し得るように、本体部４１は、同期ロッド３８の輪郭に対応する収容室４５を有する。ヘッド部４３は、長方形のような非円形の形状を有する。支持ベース６３は、その中にヘッド部６３を取り付けるためのノッチ６５を有する。第１の接続ベース４０ａを支持ベース６３に取り外し可能に接続し得るように、ヘッド部４３をクランプするために一対のクランプ部６７がノッチ６５の２つの側から延ばされている。
【００４１】
図５及び図６に示すように、力Ｆが作動部材４６に加えられると、作動部材４６は、第１の回転方向Ｒ１に沿ってハウジング４２の第２の側板５０に対して回転させられ、作動部材４６は、駆動部材４４が力Ｆに応答して第２の回転方向Ｒ２に沿ってハウジング４２の第１の側板４８に対して回転させられるように、作動部６８を通じて駆動部材４４の接触壁６２を更に押す。即ち、駆動部材４４は、作動部材４６によって駆動させられ、もはや初期状態にない。一方、弾性構成５６は、（図６に示すように）弾性力を蓄積するために、力Ｆに応答してハウジング４２の第２の側板５０に当接する。作動部材４６が第１の回転方向Ｒ１に沿って回転させられるに応答して、支持ベース６３及び同期ロッド３８も第１の回転方向Ｒ１に沿って回転させられる。更に、力Ｆが作動部材４６にもはや加えられないときには、駆動部材４４が（図５に示すように）弾性構成５６の弾性力に応答してハウジング４２の第１の側板４８に対する初期状態に再度保持されるように、弾性構成５６は弾性力を直ちに解放する。
【００４２】
図７及び図８に示すように、第１のスライドレールアセンブリ２２は、第１のレール３０と、第２のレール３２と、第３のレール３４とを含む。好ましくは、第１のレール３０は、突出ブロック又は延出壁のような、ブロック構成７０を有する。ブロック構成７０を第１のレール３０の部分として見ることができるように、ブロック構成７０は、第１のスライドレールアセンブリ２２の第１のレール３０上に一体的に形成されてよく、或いは第１のスライドレールアセンブリ２２の第１のレール３０に取り付けられた追加的なコンポーネントであってよい。好ましくは、第１のスライドレールアセンブリ２２は、開放機構７４を更に含む（図９を参照のこと）。本実施形態において、開放機構７４は、第２のレール３２に取り付けられ、ロック部材７６を含む。好ましくは、第２のレール３２は、開口７８を有し、ブロック部材７６は、開口７８に隣接する。
【００４３】
第１の同期装置３６は、第１のレールアセンブリ２２の第２のレール３２に取り外し可能に接続される。同様に、図２に示すように、第２の同期装置２００は、第２のスライドレールアセンブリ２４の第２のレール３２に取り外し可能に接続される。更に、第１の同期装置３６のハウジング４２及び第２のレール３２は、対応する取付け構成を有する。本実施態様において、ハウジング４２は、少なくとも１つの第１の取付け構成８０を有し、第２のレール３２は、少なくとも１つの第２の取付け構成８２を有する。例えば、少なくとも１つの第１の取付け構成８０及び少なくとも１つの第２の取付け構成８２は、フック及び突起の組み合わせであり得る。或いは、第１の同期装置３６を第１のレールアセンブリ２２の第２のレール３２に取り付けることができ或いは第１のレールアセンブリ２２の第２のレール３２から取り外すことができるように、少なくとも１つの第１の取付け構成８０及び少なくとも１つの第２の取付け構成８２は、ネジ及びネジ穴の組み合わせであり得る。
【００４４】
図１０に示すように、第１の同期装置３６が第１のレールアセンブリ２２の第２のレール３２に取り付けられるとき、第１の同期装置３６の駆動部材４４は、第１のレールアセンブリの第２のレール３２の開口７８に隣接する。駆動部材４４の弾性構成５６は、ハウジング４２の第２の側板５０に向かって面し、ハウジング４２の第２の側板５０と接触する。他方、駆動部材４４の駆動構成５８は、開放機構７５の係止部材７６に向かって面し、開放機構７５の係止部材７６に隣接する。
【００４５】
図１１及び図１２に示すように、開放機構７４は、バネのような弾性部材８４を含む。開放機構７４の係止部材７６は、弾性部材８４が弾性力を蓄積するのを可能にするために、弾性部材８４を一時的に係止（ロック）するように構成される（そのような構成は当業者に周知であり、簡素化のために、更なる例示を提供しない）。第２のレール３２が第１のレール３０に対して（引込み位置のような）所定の位置Ｐに位置付けられるとき、使用者は、第２のレール３２を第１の方向Ｄ１に沿って第１のレール３０に対して動かすために、第１の方向Ｄ１に沿って第２のレール３２に力を加え得る。
【００４６】
図１１、図１３及び図１４に示すように、第２のレール３２が、第１の方向Ｄ１に沿って所定の位置Ｐから第１のレール３０に対して移動するプロセスの間に、第１の同期装置３６は、弾性部材８４を係止解除（アンロック）するように構成される。具体的には、駆動部材４４は、第２のレール３２が第１の方向Ｄ１に沿って所定の位置Ｐから第１のレール３０に対して動くのに応答して弾性部材８４を係止解除するために、係止部材７６を移動させるように構成される。例えば、第１の同期装置３６の作動部材４６（図５において力Ｆが加えられる部分のような作動部材４６の部分のみが図示されている）は、作用力に応答して作動部材４６が駆動部材４４を押すように、第１のレール３０のブロック構成７０に当接して（図５中の力Ｆのような）作用力を生成する。
【００４７】
図１３、図１５及び図１６に示すように、作動部材４６が駆動部材４４を押した後、駆動部材４４は移動させられて、もはや初期状態にないことで、駆動部材４４の駆動構成５８は、弾性部材８４を係止解除するために、（係止部材７６を係止位置から離れる方向に移動させることのように）係止部材７６の係止解除部７７を通じて移動し得るよう、係止部材７６を駆動し得る。よって、第２のレール３２を第１の方向Ｄ１と反対の第２の方向Ｄ２に沿って第１のレールに対して動かすために、弾性部材８４は、弾性力Ｆ１が第２のレール３２に適用されるよう、弾性力Ｆ１を解放し得る。
【００４８】
図１５、図１７及び図１８に示すように、弾性部材８４が、第２のレール３２に適用されるよう弾性力Ｆ１を解放した後、第２のレール３２は、弾性力Ｆ１に応答して、第２の方向Ｄ２に沿って第１のレール３０に対して動かされる。
【００４９】
図１９及び図２０に示すように、第１の家具部２６が所定の位置Ｐに配置されるときに、第１の家具部２６が、第１のスライドレールアセンブリ２２及び第２のスライドレールアセンブリ２４の第２のレール３２を通じて第１の方向Ｄ１に沿って第１のスライドレールアセンブリ２２及び第２のスライドレールアセンブリ２４の第１のレール３０に対して動かされ得るよう、使用者は、第１の方向Ｄ１に沿って第１の家具部２６上の任意の位置に力を加え得る。開放機構７４の弾性部材８４の弾性力Ｆ１を解放することを通じて、第１の家具部２６は、第２の方向Ｄ２に沿って動くように排出され得る。その場合、第１のスライドレールアセンブリ２２の第２のレール３２及び第２のスライドレールアセンブリ２４の第２のレール３２は、同期して動かされるために、同期システム３５の同期ロッド３８を通じて接続される（図２及びそのような動作についての関連する記述を参照のこと。簡素化のために、更なる例示は提供されていない）。従って、使用者が、第１の方向Ｄ１に沿って（第１の家具部２６の正面パネル２７上のような）第１の家具部２６上の左側又は右側のような任意の位置に力を加えるときに、第１の家具部２６（又は第２のレール３２）は、弾性部材８４を係止解除するよう開放機構７４の係止部材７６を移動させるために、第１の方向Ｄ１に沿って（引込位置のような）所定の位置Ｐから第２の家具部２８（又は第１のレール３０）に対して動かされ得る。即ち、同期ロッド３８を通じて、第２の家具部２８に対する第１の家具部２６の押し開き(push-open)機能の確実性が向上させられ得る。
【００５０】
従って、本発明の同期システムは、以下の点において特徴付けられる。
１．同期装置３６、２００は、（第２のレール３２のような）スライドレールに取り外し可能に接続される。
２．（第１のスライドレールアセンブリ２２の第２のレール３２及び第２のスライドレールアセンブリ２４の第２のレール３２のような）２つのスライドレールは、同期して移動させられるために、同期システム３５の同期ロッド３８を通じて接続される。
３．同期ロッド３８を通じて、第２の家具部２８に対する第１の家具部２６のプッシュ開放機能の信頼性を向上させ得る。
４．本発明の同期装置の取り外し可能な設計は、使用者が使用者要求に従って同期装置を追加的に装着するのを可能にする。
【００５１】
当業者は、本発明の教示を保持しながら、装置及び方法の数多くの修正及び変更が行われる場合があることを直ちに観察するであろう。従って、上記の開示は、添付の請求項の範囲の境界によってのみ限定されるものと解釈されるべきである。
【符号の説明】
【００５２】
２０    家具システム  (furniture  system)
２２    第１のスライドレールアセンブリ  (first  slide  rail  assembly)
２４    第２のスライドレールアセンブリ  (second  slide  rail  assembly)
２６    第１の家具部  (first  furniture  part)
２８    第２の家具部  (second  furniture  part)
３０    第１のレール  (first  rail)
３２    第２のレール  (second  rail)
３５    同期システム  (synchronization  system)
３６    第１の同期装置  (first synchronization  device)
３８    同期ロッド  (synchronization  rod)
４０ａ  第１の接続ベース  (first  connecting  base）
４０ｂ  第２の接続ベース  (second  connecting  base)
４２    ハウジング  (housing)
４１    本体部  (body  part)
４３    ヘッド部  (head  part)
４５    収容室  (accommodating  room)
４４    駆動部材  (driving  member)
４６    作動部材  (actuating  member)
４８    第１の側板  (first  side  plate)
５０    第２の側板  (second  side  plate)
５２    シャフト部材  (shaft  member)
５４  第１の限定構成  (first  limiting  feature)
５４ａ  突起  (protrusion)
５４ｂ  壁  (walls)
５４    凹部  (concave  part)
５６    弾性構成  (elastic  feature)
５８    駆動構成  (driving  feature)
６０    本体部  (main  body  part)
６２    接触壁  (contact  wall)
６３    支持ベース  (supporting  base)
６４    旋回部材  (pivoting  member)
６５    ノッチ  (notch)
６７    クランプ部  (clamping  part)
６６    第２の限定構成  (second  limiting  feature)
６６ａ  細長い孔  (elongated  hole)
６６ｂ  ピン  (pin  member)
６８    作動部  (actuating  part)
７０    ブロック構成  (blocking  feature)
７４    開放機構  (opening  mechanism)
７６    係止部材  (locking  member)
７７    係止解除部  (unlocking  part)
７８    開口  (opening)
８０    第１の取付け構成  (first  mounting  feature)
８２    第２の取付け構成  (second  mounting  feature)
８４    弾性部材  (elastic  member)
２００  第２の同期装置  (second  synchronization  device)
Ｄ１    第１の方向  (first  direction)
Ｄ２    第２の方向  (second  direction)
Ｆ      力  (force)
Ｒ１    第１の回転方向  (first  rotation  direction)
Ｒ２    第２の回転方向  (second  rotation  direction)
【図１】
2018153606.tif 000003
【図２】
2018153606.tif 000004
【図３】
2018153606.tif 000005
【図４】
2018153606.tif 000006
【図５】
2018153606.tif 000007
【図６】
2018153606.tif 000008
【図７】
2018153606.tif 000009
【図８】
2018153606.tif 000010
【図９】
2018153606.tif 000011
【図１０】
2018153606.tif 000012
【図１１】
2018153606.tif 000013
【図１２】
2018153606.tif 000014
【図１３】
2018153606.tif 000015
【図１４】
2018153606.tif 000016
【図１５】
2018153606.tif 000017
【図１６】
2018153606.tif 000018
【図１７】
2018153606.tif 000019
【図１８】
2018153606.tif 000020
【図１９】
2018153606.tif 000021
【図２０】
2018153606.tif 000022